【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】
胴の各外周面に清掃布を押し付ける押圧板と、該押圧板に当接する調節手段と、前記清掃布を案内してそれを前記胴の全幅にわたって外周面に押し付ける、弾性を有し特定の断面を持つレールとを有する、胴の外周面を清掃する、輪転印刷機に設けられている清掃装置において、
前記調節手段として空気圧シリンダ（１９）が設けられており、
前記特定の断面を持つレール（１２）に対する押し当て圧力は、前記押圧板（６）に支えられたばね部材（８、１１）によって加えられ、
ばね板（９）が、前記ばね部材（８、１１）と前記特定の断面を持つレール（１２）との間に、力を均等に伝達するために設けられていることを特徴とする清掃装置。
【請求項２】
前記ばね部材は、ばねボルト（８）を有する圧縮ばね（１１）として形成されていて、調節ナット（１４）によって調節可能である、請求項１に記載の清掃装置。
【請求項３】
ばね板（９）がばねボルト（８）に固定されていて、鋼帯として形成されており、前記特定の断面を持つレール（１２）は前記鋼帯上に交換可能に取り付けられている、請求項１に記載の清掃装置。
【手続補正２】
【補正対象書類名】明細書
【補正対象項目名】０００１
【補正方法】変更
【補正の内容】
【０００１】
【発明の属する技術分野】
本発明は、胴の各外周面に清掃布を押し付ける押圧板と、この押圧板に当接する調節手段と、清掃布を案内してそれを胴の全幅にわたって外周面に押し付ける、弾性を有し特定の断面を持つレールとを有する、胴の外周面を清掃する、輪転印刷機に設けられている清掃装置に関するものである。


【手続補正３】
【補正対象書類名】明細書
【補正対象項目名】０００４
【補正方法】変更
【補正の内容】
【０００４】
本発明の目的は、従来の技術から出発して、胴の外周面を全長にわたって一様に良好に清掃できる清掃装置を提供することである。


【手続補正４】
【補正対象書類名】明細書
【補正対象項目名】０００５
【補正方法】変更
【補正の内容】
【０００５】
【課題を解決するための手段】
上記の目的を達成するために本発明の清掃装置は、調節手段として空気圧シリンダが設けられており、特定の断面を持つレールに対する押し当て圧力は、押圧板に支えられたばね部材によって加えられ、これらのばね部材と特定の断面を持つレールとの間に、力を均等に伝達するためにばね板が設けられている。この解決手段により、特定の断面を持つレールが胴の外周面に振動を伴わずに当たるようにできるだけでなく、胴の外周面上の凹凸の補償も行われる。さらに、ばね板により、特定の断面を持つレールの均等な押し当て圧力が達成されるので、胴の全長にわたって最適な清掃結果が達成される。


【手続補正５】
【補正対象書類名】明細書
【補正対象項目名】０００６
【補正方法】変更
【補正の内容】
【０００６】
本発明の好適な構成において、ばね部材は、ばねボルトを有する圧縮ばねとして形成されていて、調節ナットによって調節可能である。この解決手段により、胴の全長にわたって均等な押し当て力を達成できる。


【手続補正６】
【補正対象書類名】明細書
【補正対象項目名】０００７
【補正方法】変更
【補正の内容】
【０００７】
本発明の別の好適な構成において、ばね板がばねボルトに固定されていて、鋼帯として形成されており、特定の断面を持つレールは鋼帯上に交換可能に取り付けられている。この場合、鋼帯は、たとえばゴム状材料から作ることができる特定の断面を持つレールを安定したものとしている。さらに、この鋼帯は押し当て力を非常に均等に伝達し、しかも特定の断面を持つレールを簡単に交換できるようにしている。


【手続補正７】
【補正対象書類名】明細書
【補正対象項目名】００１０
【補正方法】変更
【補正の内容】
【００１０】
保持具４の間に揺動可能に配置された支持枠５内には、胴の全長にわたって延びる押圧板６が設けられている。押圧板６は、両側で揺動ピン７を介して支持枠５に揺動可能に支持されている。押圧板６は、その全長を見ると、案内部材１０に案内される幾つかのばねボルト８を受け入れている。案内部材１０には圧縮ばね１１が、特定の断面を持つレール１２が案内部材１０を介して弾性的に支持されるように作用する。特定の断面を持つレールの上を清掃布１３が案内される。ばねボルト８に付けたナット１４はばねの変位の調整を可能にし、押圧板６に当たってばねの変位を制限する（図２）。胴２、３の外周面に特定の断面を持つレール１２が押し付けられた状態で、ナット１４は押圧板６から少し持ち上げられる。


【手続補正８】
【補正対象書類名】明細書
【補正対象項目名】００１１
【補正方法】変更
【補正の内容】
【００１１】
押圧板６の揺動ピン７には、両側に揺動レバー１５を固定でき、これらの揺動レバー１５によって圧胴２の外周面１６に、特定の断面を持つレール１２を押し当てることができる。揺動レバー１５には、カムセグメント１８と協働するカムローラ１７が配置されている。


【手続補正９】
【補正対象書類名】明細書
【補正対象項目名】００１２
【補正方法】変更
【補正の内容】
【００１２】
支持枠５には、空気圧シリンダ１９が固定されており、そのピストン棒２０は圧力媒体を供給するとローラ２１を介して揺動ピン７の周りに押圧板６を下方に揺動させる。ローラ２１はローラジャーナル２２を介して押圧板６に固定されている。空気圧シリンダ１９内の過圧を遮断すると、引張りばね２３によって押圧板６が持ち上げられて、特定の断面を持つレール１２は清掃布１３と一緒に外周面１６から持ち上げられる。引張りばね２３は支持枠５のジャーナル２４と押圧板６のジャーナル２５との間に配置されている。ピストン棒２０による押圧板６の押し当て運動を制限するために、押圧板には調節ナット２７を付けたねじ付きボルト２６が設けられている。調節ナット２７は図１に示す位置で支持枠５上に載っており、それによって、圧胴２の外周面１６に向かう押圧板６の揺動運動を制限する。ばねボルト８の下部区域では、特定の断面を持つレール１２の全長にわたって、したがって胴の外周面１６の全長にわたって延びたばね板９がばねボルト８に固定されている。ばね板９は鋼帯として構成でき、同時に特定の断面を持つレール１２のための支持体として用いられる。図示の実施態様では、特定の断面を持つレール１２はばね板９上を長さ方向に押し出すことができるので、特定の断面を持つレール１２は簡単に交換できる。


【手続補正１０】
【補正対象書類名】明細書
【補正対象項目名】符号の説明
【補正方法】変更
【補正の内容】
【符号の説明】
１  清掃装置
２  圧胴
３  ゴム胴
４  保持具
５  支持枠
６  押圧板
７  揺動ピン
８  ばねボルト
９  ばね板
１０  案内部材
１１  圧縮ばね
１２  特定の断面を持つレール
１３  清掃布
１４  ナット
１５  揺動レバー
１６  周面
１７  カムローラ
１８  カムセグメント
１９  空気圧シリンダ
２０  ピストン棒
２１  ローラ
２２  ローラジャーナル
２３  引張りばね
２４、２５  ジャーナル
２６  ねじ付きボルト
２７  調節ナット


【手続補正１１】
【補正対象書類名】図面
【補正対象項目名】図１
【補正方法】変更
【補正の内容】
【図１】
1998000762.tif 000001